(57)【要約】【課題】外径の異なる製品の製造時に、同じ押出機を使用し、クロスヘッドの段替えを行うことなく、低コストで繊維補強層が形成された円筒状ゴム成形体、並びにその製造方法を提供する。【解決手段】内側ゴム層１２、繊維補強層１４、及び外側ゴム層１８とを備え、繊維補強層１４が軸芯Ｒ方向に対して、モノコード１６，１７が端部で折り返し部Ｄを形成してらせん状に巻回された少なくとも２層のトッピングモノコード層からなり、２層のモノコード層は相互に逆方向のらせん状に巻回されてバイアス構造の繊維補強層を構成しており、折り返し部においては、トッピングモノコードは、退出コードが侵入コードと同じ角度で退出している円筒状ゴム成形体１０とする。【選択図】図１
2005271558.tif 000002
【特許請求の範囲】
【請求項１】
内側ゴム層、繊維補強層、及び外側ゴム層とを備え、
前記繊維補強層が、軸芯方向に対してモノコードが端部で折り返し部を形成してらせん状に巻回された少なくとも２層のトッピングモノコード層から構成されており、
前記２層のモノコード層は相互に逆方向のらせん状に巻回されてバイアス構造の繊維補強層を構成しており、
前記折り返し部においては、前記トッピングモノコードは、退出コードが侵入コードと同じ角度で退出していることを特徴とする円筒状ゴム成形体。
【請求項２】
さらに、両端に口金具を備え、異径部を有する請求項１に記載の円筒状ゴム成形体。
【請求項３】
内側ゴム層、繊維補強層、及び外側ゴム層とを備えた円筒状ゴム成形体の製造方法であって、
円筒状成形型の外面に前記内側ゴム層を形成する第１未加硫ゴム組成物を積層する第１未加硫ゴム層形成工程、前記第１未加硫ゴム層の上にトッピングモノコードを端部において折り返し部を形成しつつらせん状に少なくとも２層を、前記２層のモノコード層を相互に逆方向のらせん状に巻回してバイアス構造の繊維補強層を構成するように供給する繊維補強層形成工程、外側ゴム層を形成する第２未加硫ゴム組成物を被覆して未加硫の円筒状ゴム成形体とする第２未加硫ゴム層形成工程、及び前記未加硫の円筒状ゴム成形体を加熱加硫して円筒状ゴム成形体とする加硫工程を有し、
前記繊維補強層形成工程においては、前記折り返し部において前記トッピングモノコードを、退出コードを侵入コードと同じ角度で退出させることを特徴とする円筒状ゴム成形体の製造方法。
【請求項４】
前記繊維補強層形成工程は、モノコードを巻き戻して押出機に供給し、前記押出機にて前記モノコードに未加硫ゴム組成物を被覆してトッピングモノコードとして供給するトッピングモノコード供給工程と、前記第１未加硫ゴム層を積層した円筒状成形型の回転及び前記トッピングモノコード供給位置と前記円筒状成形型の軸芯方向の相対移動によりらせん状に巻回する巻回工程とを有し、
前記折り返し部においては、前記成形型を逆に回転させると共に前記トッピングモノコード供給位置を前記軸芯方向に逆方向に相対移動させることを特徴とする請求項３に記載の円筒状ゴム成形体の製造方法。
【発明の詳細な説明】
【技術分野】
【０００１】
本発明は、繊維補強層を有するゴムホース、エアーローラー、空気バネ、可とう性継手等の比較的耐圧性の高い可とう性の円筒状ゴム成形体に関するものである。
【背景技術】
【０００２】
ゴム、補強コードを円筒状に積層して、繊維補強層を有するホース類や可とう管などの円筒状ゴム成形体における繊維補強層は、通常はすだれ状のコードを未加硫ゴム組成物にてトッピングした後に補強コードが長手方向軸に対して４０〜６０°傾斜するようにバイアスカットしたシート状トッピングコードを作製し、このシート状トッピングコードを互いに相対する２方向に２層あるいは４層以上に積層することによってバイアスコード層として形成されている（特許文献１等）。
【０００３】
特許文献１に記載の構成を有する繊維補強層は、通常、トッピングコードを冷間で貼り付けて形成されるので積層時の接着力が弱く、しかもすだれ状の幅広コードを連続したシートから裁断により複数枚作製して交互に貼り付けるものであるために、少なくない裁断時の材料ロスが発生し、歩留りが低く、かつ裁断工程も必要であって工数が多くなり、それだけ生産コストの上昇を招くという問題があった。
【０００４】
係る特許文献１記載の方法の問題を解決する技術として、円筒状マンドレルの外周面に未加硫ゴム組成物を積層して内側ゴム層を形成し、この内側ゴム層を形成後にマンドレルを前進させつつ一方向に回転させ、マンドレルの進行方向に対して所定角度を有する多数の補強コードを、マンドレルの外周面に未加硫ゴム組成物と共にトッピングコードとして積層させて繊維補強層を形成する方法が公知である（特許文献２）。
【特許文献１】特開平６−２１０７９８号公報
【特許文献２】特開２００３−１６５１６２号公報
【発明の開示】
【発明が解決しようとする課題】
【０００５】
しかし、特許文献２記載の技術によれば、生産しようとする円筒状ゴム成形体の外径が異なる場合、その外径に応じた内径を有する複数のクロスヘッドの準備や段替えが必要であり、さらには、成形型であるマンドレルを挿通する必要があるためにクロスヘッドの大きさが大きくなり、押出機も大型のものが必要であって、設備費用や製造コストの点で改善が求められるものであった。
【０００６】
本発明の目的は、製造する円筒状ゴム成形体の外径によらず同じ小型の押出機を使用して繊維補強層を形成することができるので、クロスヘッドの段替えを行うことなく、従って低コストで繊維補強層が形成された円筒状ゴム成形体、並びに低コストで繊維補強層を形成可能な円筒状ゴム成形体の製造方法を提供するものである。
【課題を解決するための手段】
【０００７】
本発明の円筒状ゴム成形体は、内側ゴム層、繊維補強層、及び外側ゴム層とを備え、
前記繊維補強層が、軸芯方向に対してモノコードが端部で折り返し部を形成してらせん状に巻回された少なくとも２層のトッピングモノコード層から構成されており、
前記２層のモノコード層は相互に逆方向のらせん状に巻回されてバイアス構造の繊維補強層を構成しており、
前記折り返し部においては、前記トッピングモノコードは、退出コードが侵入コードと同じ角度で退出していることを特徴とする。
【０００８】
上記構成を有する円筒状ゴム成形体は、モノコードを連続的に巻回して繊維補強層が形成されているため、製造する円筒状ゴム成形体の外径によらず同じ押出機を使用して繊維補強層を形成することができるので、クロスヘッドの段替えを行うことなく、従って低コストで繊維補強層が形成された円筒状ゴム成形体である。
【０００９】
しかも使用する押出機は、少なくとも１本、多くても数本のコードをトッピングできればよく、小型の押出機を使用することができ、設備も簡便かつ低コストである。
【００１０】
モノコードとは、従来の繊維補強層を構成するのと同じコードが、すだれ状ではなく、１本の連続したコードとされたものである。また「同じ角度」とは幾何学的に同じであることではなく、製造上のばらつきや歪みを含んでいる意味である。侵入コードと退出コードは、成形体の中央部では往路形成コードと復路形成コードとなり、これらの角度も同じとなる。ここにいうコードの角度とは、成形体の軸芯とコードのなす角であり、そのコードの角度測定点と軸芯とを通る半径方向から見た角度である（図１参照）。
【００１１】
本発明の円筒状ゴム成形体は、繊維補強層が連続したモノコードにて構成されていてコードの切断端面が極めて少なく、その結果、水が浸入した場合に、コードの端面から内部に急速に浸透することがなく、従来のすだれ状コードを使用した場合と比較して耐水性に優れたものでもある。
【００１２】
上述の円筒状ゴム成形体は、さらに、両端に口金具を備え、異径部を有するものであることが好ましい。
【００１３】
「異径部」とは、外径の異なる部分、例えば円弧状、テーパー状等の形成により外径の異なる部分が存在する意味である。
【００１４】
係る円筒状ゴム成形体は、補強繊維層を形成する大径部と小径部とが存在するために、特許文献１に開示された従来のバイアスカットしたすだれ状のトッピングコードを巻回して繊維補強層を形成する方法によれば、コードが円筒状ゴム成形体の軸芯方向となす角度が大径部と小径部において同一にならず、端部近傍の繊維補強層による補強効果が設計通りにならないという問題や、大径部においては、すだれ状のコードを広げて積層するためにコードの間隔が均一になりにくいという問題を有していたが、本願発明の円筒状ゴム成形体においては、大径部と小径部のコードが円筒状ゴム成形体の軸芯方向となす角度が同一に設定可能であるので、繊維補強層の補強効果はどの部位においても設計通りとなる。
【００１５】
また、特許文献１ないし２に記載の技術によれば、口金具の固定には、ビードリングやソリッドリングを介して端部のコードを折り返す等の工程や該工程実施のための設備が必要であったが、本願発明によれば、口金具の端部に設けられた段差を包み込むようにコードの折り返し部を形成することにより、ビードリング等を使用することなく高圧使用に耐えるように口金具が固定された円筒状ゴム成形体とすることができる。
【００１６】
別の本発明は、内側ゴム層、繊維補強層、及び外側ゴム層とを備えた円筒状ゴム成形体の製造方法であって、
円筒状成形型の外面に前記内側ゴム層を形成する第１未加硫ゴム組成物を積層する第１未加硫ゴム層形成工程、前記第１未加硫ゴム層の上にトッピングモノコードを端部において折り返し部を形成しつつらせん状に少なくとも２層を、前記２層のモノコード層を相互に逆方向のらせん状に巻回してバイアス構造の繊維補強層を構成するように供給する繊維補強層形成工程、外側ゴム層を形成する第２未加硫ゴム組成物を被覆して未加硫の円筒状ゴム成形体とする第２未加硫ゴム層形成工程、及び前記未加硫の円筒状ゴム成形体を加熱加硫して円筒状ゴム成形体とする加硫工程を有し、
前記繊維補強層形成工程においては、前記折り返し部において前記トッピングモノコードを、退出コードを侵入コードと同じ角度で退出させることを特徴とする。
【００１７】
上記構成の製造方法によれば、モノコードを連続的に巻回して繊維補強層を形成するため、製造する円筒状ゴム成形体の外径によらず同じ小型の押出機を使用して繊維補強層を形成することができるので、クロスヘッドの段替えを行うことなく、従って、繊維補強層が形成された円筒状ゴム成形体を低コストで製造することが可能である。
【００１８】
また、両端部に口金具を固定した場合においても、該口金具の固定により形成される大径部とそれよりも外径の小さな中央部のコードが円筒状ゴム成形体の軸芯方向となす角度が同一に設定されるので、繊維補強層の補強効果はどの部位においても設計通りの円筒状ゴム成形体を製造することができる。
【００１９】
さらに折り返し部を口金具の端部に設けられた係止凸部を包み込むように形成することにより、高圧使用に耐えるように固定された口金具を備えた円筒状ゴム成形体を簡便かつ低コストにて製造することができる。
【００２０】
上述の円筒状ゴム成形体の製造方法においては、前記繊維補強層形成工程は、モノコードを巻き戻して押出機に供給し、前記押出機にて前記モノコードに未加硫ゴム組成物を被覆してトッピングモノコードとして供給するトッピングモノコード供給工程と、前記第１未加硫ゴム層を積層した円筒状成形型の回転及び前記トッピングモノコード供給位置と前記円筒状成形型の軸芯方向の相対移動によりらせん状に巻回する巻回工程とを有し、
前記モノコードの折り返し部においては、前記成形型を逆に回転させると共に前記トッピングモノコード供給位置を前記軸芯方向に逆方向に相対移動させることが好ましい。
【００２１】
係る構成により、繊維補強層形成工程を１台の押出機を使用して簡便に行うことができる。
【発明を実施するための最良の形態】
【００２２】
繊維補強層は、ゴムと上述のコードにて形成される。本発明において使用するコードは、高圧ゴムホース、可とう管等の技術分野において使用される公知のコードを使用することができる。具体的には、ＰＥＴコード等のポリエステルコード、ナイロン６，６等のポリアミドコード、アラミドコード、スチールコード炭素繊維コード等が例示される。これらの繊維は、必要に応じてゴム材料との接着性を高めるＲＦＬ処理等を行って使用する。
【００２３】
モノコードは、連続したコードであり、途中に継ぎ目があってもよい。継ぎ目は、結び目でもよいが、エアーノット等により接続されていることがより好ましい。
【００２４】
またゴム材料も公知のゴム材料を使用することができる。一般的には、天然ゴム、スチレンブタジエンゴム、ポリイソプレンゴム、ポリブタジエンゴム、ポリクロロプレンゴム、エチレンプロピレンゴム等が使用可能である。これらのゴム材料は、公知の配合剤ないし添加剤を添加して公知の方法により加工使用する。
【００２５】
外側ゴム層は、単にゴム材料にて構成されていてもよく、ナイロンやポリエステルの平織織布等にて補強されていてもよい。ゴム材料は、繊維補強層構成ゴム材料と同じものが使用可能である。
【００２６】
内側ゴム層構成ゴム材料は、円筒状ゴム成形体内部を通過する物に応じて公知のゴム材料から適宜選択使用される。
【実施例１】
【００２７】
図１は、本発明の円筒状ゴム成形体の好適な実施形態を例示した正面図と縦断側面図である。図２は、モノコードの巻回の状態が異なる本発明の円筒状ゴム成形体の好適な実施形態について一端側を示した斜視図である。円筒状ゴム成形体１０は、両端部に口金具２０ａ，２０ｂを備え、内側ゴム層１２、繊維補強層１４及び外側ゴム層１８から構成されている。口金具２０ａ，２０ｂの固定部においては、円筒状ゴム成形体は大径部Ｌ１，Ｌ２が形成され、その間では直管状のＮ部が形成される。
【００２８】
繊維補強層１４は、この図の正面側において右上がり（Ｘ１，Ｘ２方向）となるようにらせん状に巻回されたモノコード１６にて形成される第１コード層と、第１コード層の上に、この図の正面側において右下がり（Ｙ方向）となるようにらせん状に巻回されたモノコード１７にて形成される第２コード層とから構成され、第１コード層と第２コード層によってバイアスコード層である繊維補強層が形成されている。繊維補強層は、必要に応じて４層、６層等に形成してもよい。
【００２９】
図１においては、モノコード１６は、端部にて折り返し部Ｄを形成している。折り返し部Ｄにおいては、モノコード１６はＸ１方向から侵入コードとして侵入し、長さｄの周方向巻回部を形成した後にＸ２方向の退出コードとして退出、巻回される。第２コード層は、モノコード１７を、第１コード層と逆のらせん（Ｙ方向）を形成するように巻回して形成される。モノコード１６により形成されるコード層とモノコード１７により形成されるコード層にてバイアスコード層が構成される。成形体の軸芯とコードのなす角α，βはα＝βであって、４０〜６０度、好ましくは５５度前後に設定する。
【００３０】
図２においては、モノコード１６は、侵入コードと退出コードとが隣接するように構成されており、ｄは、小さく設定されている。
【００３１】
繊維補強層形成工程において供給されるトッピングモノコードは、１本であってもよく、複数本であってもよいが、１本であることが簡便であり、好ましい。
【００３２】
図３は、異径部を有する円筒状ゴム成形体であって、全体がテーパー状の成形体を例示したものである。テーパー状の円筒状ゴム成形体５０は、一端側に大径の口金具５２を、他端側に小径の口金具５３を備え、円筒状ゴム成形体５４自体は、テーパー状に形成されている。モノコード１６と１７とにより、バイアスコード層が形成されている。本発明によれば、この図に示すように、小径側と大径側で、コードの角度をほぼ等しくすることが可能である。
【００３３】
製造時における繊維補強層形成工程は、以下の操作を繰り返し行う。
（ａ）トッピングモノコードを供給しつつ成形型（マンドレル）を軸芯Ｒの回りに回転させながら成形型とトッピングモノコード供給位置とを相対移動させて一端側から他端側にらせん状に巻回する。
（ｂ）折り返し部においては、成形型を逆回転させると共に成形型とトッピングモノコード供給位置とを逆方向に相対移動させてらせん状に巻回する。
（ｃ）折り返し部においては、コードが周方向に巻回された周方向巻回部を形成してもよい。周方向巻回部Ｄは、成形型を回転させたまま成形型とトッピングモノコード供給位置との相対移動を停止すると、停止時間に応じて所定の長さｄの周方向巻回部Ｄが形成される。図１ではｄが大きく、図２では、ｄが小さく設定されている。図１の場合には、侵入コードと退出コードとの間隔が広く、この間に少なくとも１本の次の侵入コードないし退出コードが配置され、最終的に設計コード間隔となるように繰り返し巻回される。図２のばあいには、侵入コードと退出コードとの間隔が最終製品の設計コード間隔に設定される。周方向巻回部Ｄは、端部が大径部である場合に、コード間隔が狭くなる小径部においてコードが重複することなく所定の間隔を形成するように設定される。
（ｄ）他端でも同じ操作を行う。
（ｅ）全周において、Ｘ（Ｘ１，Ｘ２）方向のコード層を形成する。
（ｆ）Ｙ方向についても上記（ａ）〜（ｅ）のコード巻回操作を行い、バイアスコード層を形成する。
【００３４】
図１に示した例では、金具２０ａ，２０ｂの円筒状ゴム成形体固定端部には係止凸部２２が形成されており、モノコードによる繊維補強層は、該係止凸部２２を包み込むように形成されている。係る構成により、高圧使用に耐えるように固定された口金具を備えた円筒状ゴム成形体となる。
【００３５】
本発明の製造方法の実施に好適な製造装置の構成を図４にモデル的に示した。製造装置５０は、繊維補強層を形成するためのトッピングモノコードを供給するための押出機３０、マンドレル４０を少なくとも回転させてトッピングモノコード１６（１７）を巻回する成形装置６０とから構成される。
【００３６】
押出機３０は、未加硫ゴム組成物を加熱、可塑化して先端部に送るシリンダー部３２と該シリンダー部の先端に装着されたクロスヘッド３４とを備えている。必要に応じてディッピング処理等の接着処理された連続状のモノコード３６は、リール３７から巻き戻し、クロスヘッド３４に送り込み、可塑化されて押し出された未加硫ゴム組成物を被覆（トッピング）してトッピングモノコード１６（１７）として送り出される。クロスヘッドに代えて、ダイスを使用してもよい。図示された例では、モノコードが１本だけ供給され、トッピングされているが、２本以上を処理する構成であってもよい。
【００３７】
図４例示の押出機は、製造する円筒状ゴム成形体の外径、長さ等が異なる場合であっても同じものを使用することができ、しかもコード１本或いは数本をトッピングするだけであるので、小型の押出機で足り、極めて簡便な設備にて円筒状ゴム成形体を製造することができるという特徴を有する。
【００３８】
トッピングモノコードの断面形状は限定されるものではなく、用途に応じて適宜設定されるが、好適な形状の例を図７に例示した。トッピングモノコード１６（１７）は、モノコード３６の周囲に種々の形状にて加熱により加硫する未加硫ゴム組成物７が被覆されている。
【００３９】
成形機６０は、成形型であるマンドレルを保持する軸４１と軸４１を駆動、回転させるモーター４２、並びに軸４１の他端を回転自在に保持する支持体４４を有する。マンドレル４０には左右端部の口金具２０が嵌挿され、口金具の端部を固定するように内側ゴム層を形成する第１未加硫ゴム組成物が巻回、積層されて第１未加硫ゴム層が形成される（第１未加硫ゴム層形成工程）。第１未加硫層の形成は、シート状やベルト状の第１未加硫ゴム組成物がマンドレル上に巻回することにより行われる。口金具を設けない場合には、クロスヘッドを備えた押出機を使用してマンドレル上に押出成形を行ってもよい。
【００４０】
押出機３０から送り出されたトッピングモノコード１６は、第１ガイド３８及び第２ガイド３９により第１未加硫ゴム層の上に供給される。この場合、第２ガイド３９がトッピングモノコード供給位置に相当する。マンドレル４０は、モーター４２により回転され、かつマンドレル４０とトッピングコード供給装置である第２ガイド３９を相対移動させることにより、第１未加硫ゴム層の上にトッピングモノコード１６が一端から他端にらせん状に巻回される。
【００４１】
モーター４２は、サーボモーター等の正逆回転並びに回転速度が変更自在なものを使用する。
【００４２】
マンドレル４０とトッピングコード供給装置である第２ガイド３９の相対移動は、いずれか一方、もしくは双方を移動させることにより行うことができるが、第２ガイド３９を移動させることが、装置が簡便であり、好ましい。
【００４３】
成形型の回転速度の制御やトッピングコード供給装置である第２ガイド３９の移動速度の制御により、異径部を有するゴム成形体のコード角度、間隔等が設計通りに配置可能である。成形型４０の回転速度、第２ガイド３９の移動速度の制御は、位置センサーにより制御する方法、予め成形体の形状を記憶させて移動や回転の時間を制御する方法等の少なくとも１種を使用して行う。
【００４４】
図５（ａ），（ｂ）には、第２ガイドの好適な例を模式的に示した。第２ガイド３９は、シャフト４６の上部の第１ガイドローラー４８と先端部の第２ガイドローラー４９とから構成されており、トッピングモノコード１６は、第１ガイドローラー４８を介して第２ガイドローラー４９に送られ、第２ガイドローラー４９により図５（ｃ）に示したようにマンドレル４０上の第１未加硫ゴム層の上に、好ましくは一定の圧力で押し付けられつつ巻回される。第２ガイド３９は、シャフト４６が、シャフトの軸芯方向と成形型の軸芯方向とに移動可能に構成されており、さらにシャフト４６の軸芯回りに回動自在であり、シャフト４６の軸芯方向に移動可能であることが好ましい。係る構成により、端部における折り返し部の形成や異径部の補強繊維層の形成が容易に行える。
【００４５】
図６は、トッピングモノコード１７の別の巻回方法を例示したものである。この例においては、第２ガイド５６は、第１未加硫ゴム層を形成した成形型５５から離隔配置されている。
【００４６】
本発明の円筒状ゴム成形体の製造方法においては、第１未加硫ゴム層は加熱されていること、ないし少なくとも熱時に形成されて冷却されていないことが好ましい。係る構成によって、加熱された状態で供給されるトッピングモノコード１６（１７）と良好な接着が形成される。
【００４７】
外側ゴム層を形成する第２未加硫ゴム層は、シート状にて補強繊維層の外側に巻回し、未加硫の円筒状ゴム成形体が成形される（第２未加硫ゴム層形成工程）。この未加硫の円筒状ゴム成形体を、例えば加硫缶を使用して加熱加硫することにより円筒状ゴム成形体が得られる（加硫工程）。
【図面の簡単な説明】
【００４８】
【図１】円筒状ゴム成形体の好適な実施形態を例示した正面図と縦断側面図
【図２】円筒状ゴム成形体の好適な実施形態を例示した斜視図
【図３】テーパー状の円筒状ゴム成形体と繊維補強層の構造を例示した図
【図４】円筒状ゴム成形体の製造装置を例示した模式図
【図５】トッピングモノコードを供給するためのガイドを例示した概略図
【図６】トッピングモノコードを供給、巻回する別の形態を示した図
【図７】トッピングモノコードの断面形状を例示した図
【符号の説明】
【００４９】
１０          円筒状ゴム成形体      
１２          内側ゴム層
１４          繊維補強層
１６、１７    モノコード（トッピングモノコード）
１８          外側ゴム層
【図１】
2005271558.tif 000003
【図２】
2005271558.tif 000004
【図３】
2005271558.tif 000005
【図４】
2005271558.tif 000006
【図５】
2005271558.tif 000007
【図６】
2005271558.tif 000008
【図７】
2005271558.tif 000009